(57)【特許請求の範囲】
【請求項１】
ヘッドのノズル開口に連通する液体流路内に配されたフィルタを有し、
前記フィルタは、貫通孔が複数開設された金属板材であり、その表面に、加圧塑性変形による凹凸筋が複数本交差した状態で形成されており、
前記凹凸筋が、金属板材の表裏面に一対に対応して形成されており、且つ、先端が尖った断面形状に形成されている液体噴射装置であって、
前記フィルタは、表面から突出した凸条押圧部が交差した状態で設けられたパンチと、前記凸条押圧部に対応した凹条を形成したダイとの間に、両面を樹脂フィルムで被覆した前記金属板材をセットし、この状態で前記金属板材に向かって前記パンチを押圧することで、前記金属板材の表面に、前記凹凸筋を形成する工程を経て作製されたことを特徴とする液体噴射装置。
【請求項２】
ヘッドのノズル開口に連通する液体流路内に配されたフィルタを有し、
前記フィルタは、貫通孔が複数開設された金属板材であり、その表面に、加圧塑性変形による凹凸筋が複数本交差した状態で形成されており、
前記凹凸筋が、金属板材の表裏面に一対に対応して形成されており、且つ、先端が尖った断面形状に形成されている液体噴射装置の製造方法であって、
表面から突出した凸条押圧部が交差した状態で設けられたパンチと、前記凸条押圧部に対応した凹条を形成したダイとの間に、両面を樹脂フィルムで被覆した前記金属板材をセットし、
この状態で前記金属板材に向かって前記パンチを押圧することで、前記金属板材の表面に、前記凹凸筋を形成する工程を有することを特徴とする液体噴射装置の製造方法。
【発明の詳細な説明】
【技術分野】
【０００１】
本発明は、極薄板に貫通した微細穴が穿孔され、反りの発生を防止した金属板材を用いたフィルタを有する液体噴射装置、および、液体噴射装置の製造方法に関し、特に液体噴射ヘッドの圧力発生室に供給される液体中の異物を捕捉するフィルタを有する液体噴射装置、および、液体噴射装置の製造方法に関するものである。
【背景技術】
【０００２】
液体中の微細な異物（微細片や気泡など）を捕捉する必要がある装置の１つに種々な液体を噴射する液体噴射装置があり、液体噴射装置の中で広く使用されているものに、インクジェット式記録装置がある。インクジェット式記録装置は、複数のノズル開口から液体であるインク滴を吐出するインク噴射ヘッドを備えている。このインク噴射ヘッドによりインク滴を媒体である記録紙等の表面に着弾させて画像や文字を印刷するようになっている。
【０００３】
インク噴射ヘッド内に設けられたインクの供給流路には、インク内に混入した異物、即ち、何らかの原因で供給流路内に残留している合成樹脂等の微細片や気泡を取り除くための平板状のフィルタが配置されている。このフィルタは、通常、綾たたみフィルタや不織布フィルタ等が採用されている（特許文献１等参照）。
【０００４】
しかし、綾たたみフィルタは、開口率が低く圧力損失（流路抵抗）が大きくなるため、フィルタの面積を大きくする必要があり、フィルタの寸法が大きくなってインク噴射ヘッドの小型化が難しくなっている。また、フィルタ内部の流路の形状が複雑に入り込んでいるため、圧力損失がフィルタ毎にばらつき、圧力損失を許容範囲内に収めることが困難となり、異物のトラップ能力が不安定になる。さらに、フィルタ端縁部がほつれるために、フィルタの組み付け工程等において部品の損傷が発生しやすく、取り扱い難いものとなっている。また、不織布フィルタは、繊維の細片がフィルタからインクと共に流下する虞があり、性能上及び信頼性の問題が生じるおそれがある。
【０００５】
そこで、極薄金属板、例えば、厚さ１０〜２０μｍのステンレス板（ＳＵＳ）に打ち抜きにより微細穴（例えば、径が１５μｍの穴）を多数形成したものをフィルタとして用いることが考えれる。このような微細穴が多数形成された極薄金属板をフィルタとすることで、圧力損失を減らしてインクの流量を十分に確保し、しかも安定した異物のトラップ機能を持たせることが可能になる。
【０００６】
【特許文献１】特開平１１−１０９０４号公報
【発明の開示】
【発明が解決しようとする課題】
【０００７】
ところが、極薄の金属板材に微細な貫通孔をプレス加工で多数開設しようとすると、加工後の金属板材に反りが発生してしまうという問題がある。
このような金属板材に生じる反りの一般的な修正は、反りを発生させる応力を相殺するように応力を与えるローラー式レベラーを用いたり、残留応力を除去するためのアニール等の熱処理を施すことによって行われる。
しかし、一般的なローラー式レベラーでは、金属板材の厚みに制約があり、極薄の金属板材に微細な貫通孔を多数加工したものの反りの修正を行うことができないという問題がある。
また、アニールなどの熱処理については、加熱炉などの装置に多大な費用がかかるとともに、処理時間が長く生産性に欠けるという問題がある。
【０００８】
本発明は、このような事情に鑑みてなされたものであり、その目的は、極薄板に貫通した微細穴を多数穿孔しても加工後の反りの発生を修正することができる金属板材を用いたフィルタを有する液体噴射装置、および、液体噴射装置の製造方法を提供することにある。
【課題を解決するための手段】
【０００９】
上記目的を達成するため、本発明の液体噴射装置は、ヘッドのノズル開口に連通する液体流路内に配されたフィルタを有し、
前記フィルタは、貫通孔が複数開設された金属板材であり、その表面に、加圧塑性変形による凹凸筋が複数本交差した状態で形成されており、
前記凹凸筋が、金属板材の表裏面に一対に対応して形成されており、且つ、先端が尖った断面形状に形成されている液体噴射装置であって、
前記フィルタは、表面から突出した凸条押圧部が交差した状態で設けられたパンチと、前記凸条押圧部に対応した凹条を形成したダイとの間に、両面を樹脂フィルムで被覆した前記金属板材をセットし、この状態で前記金属板材に向かって前記パンチを押圧することで、前記金属板材の表面に、前記凹凸筋を形成する工程を経て作製されたことを特徴とする。
また、本発明の液体噴射装置の製造方法は、ヘッドのノズル開口に連通する液体流路内に配されたフィルタを有し、
前記フィルタは、貫通孔が複数開設された金属板材であり、その表面に、加圧塑性変形による凹凸筋が複数本交差した状態で形成されており、
前記凹凸筋が、金属板材の表裏面に一対に対応して形成されており、且つ、先端が尖った断面形状に形成されている液体噴射装置の製造方法であって、
表面から突出した凸条押圧部が交差した状態で設けられたパンチと、前記凸条押圧部に対応した凹条を形成したダイとの間に、両面を樹脂フィルムで被覆した前記金属板材をセットし、
この状態で前記金属板材に向かって前記パンチを押圧することで、前記金属板材の表面に、前記凹凸筋を形成する工程を有することを特徴とする。
【００１２】
上記構成によれば、表面から突出した凸条押圧部が交差した状態で設けられたパンチと、凸条押圧部に対応した凹条を形成したダイとの間に、貫通孔が複数開設された金属板材をセットしてパンチを押圧し、当該金属板材の表面に、加圧塑性変形による凹凸筋を複数本交差した状態で形成してフィルタとすることにより、貫通孔を複数開設することで金属板材に反りが生じてもこれを交差する複数本の凹凸筋を金属板材に転写して矯正力を作用させることで、交差する凹凸筋で規定される凹凸による格子状平面に修正したフィルタとすることができる。これにより、圧力損失を減らして液体の流量を十分に確保でき、しかも安定した状態で液体流路内の液体を濾過することができ、信頼性や生産性を向上することができる。また、金属板材の両面を樹脂フィルムで被覆した場合には、両面の樹脂フィルムによってパンチおよびダイによる応力集中を防止することができるとともに、均一に矯正力を与えることができ、クラックや破断の発生を防止して加工することができる。
【発明を実施するための最良の形態】
【００１７】
以下、本発明を実施するための最良の形態を、添付図面を参照して説明する。
なお、以下に述べる実施の形態では、本発明の好適な具体例として種々の限定が成されているが、本発明はこれらの態様に限られるものではない。また、以下においては、金属板材およびフィルタを、代表的な液体噴射装置であるインクジェット式記録装置（以下、プリンタと略記する）のフィルタに適用した場合を例示する。このフィルタは、インク噴射ヘッド（本発明のヘッドに相当）の圧力発生室に供給されるインク中の異物を捕捉するものである。
ここで、図１は、インクジェット式記録装置の斜視図、図２は、インク噴射ヘッドの主要部の横断面図、図３は、インク噴射ヘッドの全体の縦断面図である。
【００１８】
プリンタ１は、インクカートリッジ２が搭載されるキャリッジ３やキャリッジ３に取り付けられた記録ヘッド４等が一体化されたインク噴射ヘッド５を有している。キャリッジ３はタイミングベルト６を介してステッピングモータ７に接続され、ガイドバー８に案内されて記録紙９の紙幅方向（主走査方向）に往復移動するようになっている。キャリッジ３は上部に開放する箱型であり、記録紙９と対面する面（下面）に記録ヘッド４のノズル面が露呈するよう取り付けられると共に、インクカートリッジ２が収容されるようになっている。
【００１９】
記録ヘッド４には、インクカートリッジ２からインクが供給され、キャリッジ３を移動させながら記録紙９の上面にインク滴を吐出させて記録紙９に画像や文字をドットマトリックスにより印刷するようになっている。記録ヘッド４のホームポジションには、キャップ１０が設けられ、印刷休止中に記録ヘッド４のノズル開口を封止することによりノズルの乾燥を防止すると共に、記録ヘッド４のノズル面に負圧を作用させてクリーニング動作をする。また、ホームポジションには、ワイパーブレード１１が設けられ、記録ヘッド４のノズル面が通過する際にワイピングするようにし、クリーニング動作で吸引した廃インクを廃インク貯留部１２に貯留するように構成してあり、プリンタ１の動作が制御装置１３で制御するようになっている。
【００２０】
インク噴射ヘッド５（図１参照）には、  図２に示すように、制御基板１５が設けられ、制御基板１５を介して制御装置１３（図１参照）からの動作信号を後述する圧電振動子１６に入力する。制御基板１５は流路ユニット１７とは反対側のヘッドケース１８上に配置されている。
【００２１】
本実施形態の記録ヘッド４には、先端部に流路ユニット１７が配置され、流路ユニット１７には、ノズル形成面１９ａにノズル開口２０が列設されたノズルプレート１９が設けられている。また、ノズル開口２０に連通して圧力発生室２１が設けられ、圧力発生室２１には、インク貯留室２２からインクが供給され、圧電振動子１６によりインクが加圧されるようになっている。
【００２２】
即ち、流路ユニット１７は、ノズル開口２０が穿設されたノズル形成面１９ａを有するノズルプレート１９と、圧力発生室２１との共通の液体貯留室であるインク貯留室２２並びにこれらを連通させるインク供給路２３とに対応する空間が形成された圧力発生室形成板２４と、圧力発生室２１やインク貯留室２２の開口を封止する封止板、即ち、振動板２５とが積層されている。そして、ノズル形成面１９ａは平坦面とされている。流路ユニット１７は接着剤を用いてヘッドケース１８の先端面１８ａに接合されている。
【００２３】
圧電振動子１６は駆動信号の入力により充電状態で長手方向に収縮し、充電状態から放電する過程で長手方向に伸張する、所謂、縦振動モードの振動子である。圧電振動子１６は、その先端が圧力発生室２１の一部を形成する振動板２５の島部２５ａに固着された状態で他端が固定板２６に固定されている。尚、縦振動モードの圧電振動子１６をたわみ振動モードの圧電振動子に変更することも可能である。
【００２４】
ヘッドケース１８には、インク貯留室２２に対応する部分にヘッド流路２７が形成され、ヘッド流路２７を介してインクカートリッジ２（図１参照）のインクがインク貯留室２２に導入される。圧電振動子１６には、フレキシブルケーブル２８が接続され、制御基板１５からの駆動信号が入力される。また、プリンタ１（図１参照）の全体を制御する制御装置１３（図１参照）からの動作信号を制御基板１５に送るフレキシブルケーブル２９は、ターミナル３０を介して制御基板１５に接続されている。
【００２５】
記録ヘッド４では、圧電振動子１６の収縮・伸張により圧力発生室２１が膨張・収縮し、圧力発生室２１の圧力変動によりインクの吸引とインク滴の吐出とが行われる。ノズルプレート１９には、２列のノズル列が一対として複数対が形成されている。ノズル形成面１９ａには、その側縁を保護するヘッドカバー１４が設けられている。
【００２６】
インクカートリッジ（図１参照）から送られてきたインクは、ヘッド流路２７からインク貯留室２２に流入し、その後、圧力発生室２１において圧電振動子１６の動作で加圧され、ノズル開口２０から記録紙９（図１参照）に向かってインク滴の状態で吐出され印刷が進行する。
【００２７】
キャリッジ３（図１参照）に相当するヘッドホルダ４１には、図３に示すように、記録ヘッド４が結合された状態でインク噴射ヘッド５が構成されている。ヘッドホルダ４１の上部には、板状部材４１ａが配置され、この板状部材４１ａに、インクカートリッジ２（図１参照）に進入するインク供給針３１が取り付けられている。インク供給針３１の内部通路はフィルタ３２を介して導入流路３３に連通し、導入流路３３は、板状部材４１ａの下側に設けた導入管３４を介してヘッド流路２７に連通している。
【００２８】
具体的に説明すると、制御基板１５には、ヘッドケース１８の上部の環状突起４２が貫通し、ヘッド流路２７と導入流路３３は同軸状に配置されている。ヘッド流路２７と導入流路３３はパッキン部材３５によりシールされた状態で接続され、パッキン部材３５はエラストマー等の弾性材料で構成されている。パッキン部材３５を介してヘッドケース１８をヘッドホルダ４１に取り付けることにより、導入管３４の端面と環状突起４２の端面との間でパッキン部材３５は圧縮された状態となる。このような流路構造により、流体供給源であるインクカートリッジ２にインク供給針３１が相対的に差し込まれると、インクが流路ユニット１７に供給される。
【００２９】
このようなプリンタ１のフィルタ３２が本発明の金属板材あるいはフィルタで構成されて用いられる。
フィルタ３２は、図４に示すように、例えばステンレス製（ＳＵＳ製）の平坦な極薄の金属板材（例えば、厚さ１５μｍ）５１に多数の貫通孔である微細穴５２（例えば、直径あるいは対角線長が１５μｍの穴が１ｃｍ２に数万穴）が開設されて外形が円形状に切断して構成されたものであり、外径は、例えば８〜９ｍｍ程度とされている。貫通孔である微細穴５２の大きさは、フィルタ３２として機能させるため、ノズル開口２０（図２参照）よりも小さく設定されている。なお、フィルタ３２の穴形状としては、円形とする場合に限らず、正方形や六角形等の多角形にすることも可能であり、円形の場合には、直径をノズル開口２０よりも小さく設定し、多角形の場合には、対角線の長さをプリンタ１のノズル開口２０よりも小さく設定することで、フィルタとして機能させることができる。
【００３０】
また、極薄の金属板材５１には、その表面に加圧塑性変形による凹凸筋が複数本交差した状態で形成され、ここでは、互いに直交して格子状の凹凸筋５３が形成してある。これにより、金属板材５１に多数の貫通した微細穴５２が開設（穿孔）されたことに基づく反りを修正して格子状の凹凸筋５３を備えて平坦状態が維持されている。したがって、凹凸筋５３の凹凸高さを極小さくすることで、交差する複数本の凹凸筋５３が塑性変形して加圧痕として残った状態となっても平坦な金属板材５１およびフィルタ３２とすることができ、極薄のフィルタ３２であっても反りが修正されて平坦状態が維持され、取り扱いが容易になって組み立て時の生産性を向上させることが可能になる。
なお、この金属板材５１をフィルタ３２とする場合には、例えば取り付け部分となる周囲に、凹凸筋５３を形成しない平坦なフランジ部を設けることで、一層簡単に組み立てることができる。
前記した凹凸筋５３は、薄い金属板材５１に加圧塑性変形により形成するので、金属板材５１の表面（狭義の表面と裏面）に一対に対応して形成される。
【００３１】
この金属板５１およびフィルタ３２では、隣接する微細穴５２のピッチが、例えば、４５μｍ程度に設定され、交差する凹凸筋５３は、その高さが、例えば、０．１ｍｍ程度、隣接する凹凸筋５３同士のピッチが、例えば、０．６ｍｍ程度に設定されている。また、この凹凸筋５３の断面形状は、先端角度を尖った形状、例えば先端角度を約９０度としたＶ字谷形状(表裏が凹凸が対で対応しているので、逆に見れば山形）にしてある。
このような交差する複数の凹凸筋５３の高さやピッチ、先端角度を変更することで、金属板材５１やフィルタ３２に加える矯正力を調整することができ、金属板材５１やフィルタ３２ヘの加工度などに生じる反りの大きさに応じて凹凸筋５３の高さ、ピッチ、先端角度を設定・調整して反りを修正すれば良い。
また、交差する凹凸筋５３は、直角に交差する格子状に形成することで、矯正に方向性をなくすことができ、金属板材５１やフィルタ３２に均一に矯正力を付与することができる。なお、交差角度は直交に限らず、菱形ができる角度に交差させてもよい。要するに、交差する２方向の凹凸筋５３を形成することで、金属板材５１に発生する反りを修正できれば良い。
【００３２】
次に、本発明の金属板材の加工方法をフィルタの加工に適用した場合について、図５〜図７に基づいて説明する。
まず、金属板材５１に貫通した微細穴５２を多数開設するため、プレス装置による打抜き加工が行われる。このため、プレス装置５４は、図５（ａ）に示すように、凹凸が形成されていない平盤状の台座５５を備え、その上面と対向してストリッパ５６を介してパンチ５７が設けられる。平盤状の台座（受け台）５５の上面には、弾性マット５８として例えば、ＰＥＴ（ポリエチレンテレフタレート：高分子材料）などからなるマット状の軟質部材が設けられ、この弾性マット５８上に金属板材５１がセットされるようになっている。パンチ５７の先端５７ａは、例えば円柱状とされ、その直径はフィルタ３２の微細穴５２の径に対応しており、パンチ５７を押圧することで、弾性マット５８にパンチ５７の先端５７ａが挿入されるようになっている。これにより、図５（ｂ）（ｃ）に示すように、金属板材５１の多数の打ち抜き片６２を弾性マット５８に押し込んでそのまま保持することができ、ダイレス加工で微細穴５２を打ち抜くことができる。また、台座５５上の弾性マット５８の表面が凹凸が無く平坦であるため、パンチ５７の押し込み量を均一にすることができ、多数の打ち抜き片６２を確実に弾性マット５８の内部に留めることができる。
【００３３】
なお、弾性マット５８としては、ＰＥＴに限らず、例えばＰＣ（ポリカーボネート）、ＰＯＭ（ポリアセタール）、ＡＢＳ（ＡＢＳ樹脂）、ＰＰＳ（ポリフェニンサルファイド）等の他の高分子材料等を用いることも可能であり、硬さは、金属板材の厚さや微細穴の大きさ、ピッチ等により種々選択することが可能である。
【００３４】
弾性マット５８の厚さは、少なくとも金属板材５１の厚さの２倍以上とされ、０.１ｍｍ〜０.２ｍｍ程度が好ましい。０.１ｍｍ〜０.２ｍｍ程度にすることにより、必要以上に厚さを厚くすることなく弾性マット５８の内部に打ち抜き片６２を確実に留めることができると共に、金属板材５１に完全な貫通孔である微細穴５２を形成することができ、貫通不良などによる微細穴５２の周縁部のバリの発生をおさえることができる。これにより、台座５５とパンチ５７の先端５７ａとの位置合わせが不要になり、微細穴５２が形成された金属板材５１やフィルタ３２を容易に加工することができる。
【００３５】
実際の打ち抜き工程では、パンチ５７の先端５７ａを金属板材５１に押圧して微細穴５２を打ち抜いた後、ストリッパ５６を上昇させて打ち抜き片６２が弾性マット５８内に留まった状態で、弾性マット５８と共に金属板材５１を１ピッチ分移動させ、再びパンチ５７の先端５７ａを金属板材５１に打ち込むことを繰り返すことで多数の微細穴５２を形成する。
【００３６】
このように弾性マット５８と共に金属板材５１を１ピッチ分移動させてパンチ５７による打ち込みを繰り返すことで、かえりが発生してもストリッパ５６の端面につぶされる等の横かえりが発生するおそれが全くなく、微細穴５２が変形することがない。なお、実験によれば、弾性マット５８としてＰＥＴを用いた場合、４μｍ〜５μｍ程度のかえりが発生したが、パンチ５７に破損がほとんど生じないことが確認された。また、弾性マット５８として、より硬い軟質部材を用いることでかえりを小さくすることができることも確認された。
【００３７】
こうして、貫通した微細穴５２が多数形成された金属板材５１は、穴加工にともなって反りが発生するため、反りを修正する加工が行われる。この金属板材５１の反りの修正は、プレス加工によって金属板材５１の表面に凹凸筋５３を複数本交差した状態で、しかも塑性変形した状態で形成する。
このプレス加工には、図６に示すように、プレス装置６５が用いられ、パンチ６６には、図６（ｂ）に示すように、表面から突出した凸条押圧部６７が交差した状態で設けられ、ダイ６８には、同図（ｃ）に示すように、凸条押圧部６７に対応した凹条６９が形成してある。この凸条押圧部６７は交差角度が９０度の格子状とされ、その断面形状が、例えば先端角度が９０度とされ、頂条縁部が面取りされた３角形状としてあり、対応する凹条６９も同一断面形状としてある。また、凸条押圧部６７の高さ、すなわち格子高さは、例えば０．１ｍｍとされ、凸条押圧部６７の隣接する間隔、すなわち格子ピッチは、例えば０．６ｍｍとしてある。
【００３８】
なお、凸条押圧部６７の高さやピッチ、先端角度は、すでに説明した交差する複数の凹凸筋５３を形成するためのものであり、これらの高さやピッチ、先端角度を変更することで、金属板材５１やフィルタ３２に加える矯正力を調整することができることから、金属板材５１やフィルタ３２ヘの加工度などにより生じる反りの大きさに応じて凸条押圧部６７の高さ、ピッチ、先端角度を設定・調整して反りを修正すれば良い。また、交差する凸条押圧部６７は、凹凸筋５３に相当し、直角に交差する格子状に形成することで、金属板材５１やフィルタ３２に均一に矯正力を付与することができるが、これに限らず、交差する２方向の凸条押圧部６７を形成することで、金属板材５１に発生する反りを修正できれば良い。さらに、断面形状も３角形状に限らず、半円形状など他の形状であっても良い。さらに、凹凸筋５３は、直線に限らず円弧などの曲線でもよい。
【００３９】
このパンチ６６とダイ６８との間には、図７に示すように、両面を樹脂フィルム７０で被覆した金属板材５１がセットされる。金属板材５１の両面に樹脂フィルム７０を被覆することで、パンチ６６とダイ６８との位置合せ誤差などプレス加工にともなう無用な応力集中を防止し、金属板材５１に均一に凸条押圧部６７および凹条６９によって加圧塑性変形を付与して金属板材５１の反りを修正することができ、反り修正にともなうクラック、破断、傷等の発生を防止することができる。樹脂フィルム７０としては、例えばポリエチレンフィルムが用いられ、例えばフィルム厚さが０．１ｍｍとされる。
このような樹脂フィルム７０で両面を被覆して金属板材５１をパンチ６６およびダイ６８でプレス加工することで、山高さが０．０８ｍｍ程度で緩やかな山が０．６ｍｍピッチに配列された格子状の凹凸筋５３を形成することができる。
そして、金属板材５１の反りの修正加工後に樹脂フィルム７０を取り除き、製品としての金属板材５１やフィルタ３２を得ることができる。
【００４０】
なお、この樹脂フィルム７０の材質や厚さによって、プレス加工による加圧塑性変形の度合い、すなわちパンチ６６およびダイ６８による形状の転写率が変化し、矯正力を調整することができる。
したがって、樹脂フィルムの材質、厚みを変えることで、製品となる金属板材５１やフィルタ３２として必要な状態に応じて反りの修正を行うことができる。
【００４１】
このような表面から突出した凸条押圧部６７が交差した状態で設けられたパンチ６６と、凸条押圧部６７に対応した凹条６９を形成したダイ６８との間に、両面を樹脂フィルム７０で被覆した貫通した微細穴５２が複数開設された金属板材５１をセットし、この状態で金属板材５１に向かって、パンチ６６を押圧することで、金属板材５１の表面に、凹凸筋５３を複数本交差した状態で形成することができ、金属板材５１の反りを修正することができる。これにより、金属板材５１に凹凸筋５３による凹凸が形成された状態で平坦な平面状態にすることができる。
したがって、この金属板材５１をフィルタ３２とする場合には、例えば取り付け部分となる周囲を凹凸筋５３を形成しない未加工の平坦なフランジ部とすることで、液体流路内に簡単に取り付けて、この液体流路内の液体を濾過するフィルタとすることができる。例えば、プリンタ１では、圧力発生室２１とノズル開口２０を有するインク噴射ヘッド５の圧力発生室２１に供給されるインク中の異物を捕捉するインク噴射ヘッド用のフィルタ３２として用いることができる。
【００４２】
なお、上記の金属板材の加工方法では、貫通した微細穴５２が複数開設された金属板材５１の反りを修正するため、金属板材５１の両面に、樹脂フィルム７０を被覆することで、応力集中を防止し、クラックや傷等の発生を防止するようにしたが、金属板材５１の両面を樹脂フィルム７０で被覆することに代え、プレス装置６５のパンチ６６の凸条押圧部６７をゴムなどの軟質の樹脂材で構成することもできる。これにより、樹脂フィルムで金属板材５１を被覆することなく、そのままプレス加工しても応力集中を防止して反りの修正加工をすることができ、樹脂フィルムで挟んで被覆する工程が必要なく、加工後に金属板材から樹脂フィルムを取り除く工程や樹脂フィルムの廃棄処理の必要もない。
【００４３】
また、上記のプレス装置６５では、ダイ６８に対して往復駆動されるパンチ６６を押圧して金属板材１１の反りの修正を行うようにしたが、一対のローラの表面に凸条押圧部６７および対応する凹条６９を転写しておき、これらローラ間に金属板材５１を送って押圧することで、反りの修正を行うようにすることもできる。これにより、金属板材の反りの修正を連続的に行うことができ、生産性を向上することができる。なお、この場合にも金属板材５１の両面を樹脂フィルムで被覆したり、パンチの凸条押圧部６７を樹脂材とすることで、応力集中を防止してクラックの発生を防止することができる。
【００４４】
ところで、本発明は、上記実施の形態に限定されるものではなく、特許請求の範囲の記載に基づいて種々の変形が可能である。
【００４５】
また、本発明の金属板材は、液体流路内の液体を濾過するフィルタとして用いる場合に限らず、貫通孔が複数開設され、孔加工によって反りが発生する場合の反りの修正が成されて使用される金属板材に広く適用することができるとともに、その加工方法として広く適用できるものである。
【図面の簡単な説明】
【００４６】
【図１】インクジェット式記録装置の概略構成図である。
【図２】インク噴射ヘッドの主要部の断面図である。
【図３】インク噴射ヘッドの全体を表す断面図である。
【図４】（ａ）フィルタの平面図、（ｂ）はフィルタの要部拡大平面図、（ｃ）はフィルタの要部拡大横断面図である。
【図５】フィルタの孔加工の説明図である。
【図６】パンチとダイの説明図である。
【図７】反り修正加工の説明断面図である。
【符号の説明】
【００４７】
１…プリンタ、４…記録ヘッド、５…インク噴射ヘッド、１６…圧電振動子、１７…流路ユニット、１９…ノズルプレート、２０…ノズル開口、２１…圧力発生室、２３…インク供給路、２５…振動板、３１…インク供給針、３２…フィルタ、５１…金属板材、５２…微細穴（貫通孔）、５３…凹凸筋、５４…プレス装置、５５…台座、５６…ストリッパ、５７…パンチ、５８…弾性マット、６２…打ち抜き片、６５…プレス装置、６６…パンチ、６７…凸条押圧部、６８…ダイ、６９…凹条、７０…樹脂フィルム
【図１】
0005104088.tif 000002
【図２】
0005104088.tif 000003
【図３】
0005104088.tif 000004
【図４】
0005104088.tif 000005
【図５】
0005104088.tif 000006
【図６】
0005104088.tif 000007
【図７】
0005104088.tif 000008